(57)【要約】【課題】  編集対象の原稿画像に対して直接マーキングせずに編集範囲を容易に指定でき、かつ処理時間の短縮化を図り、トナー消費量の抑制、利用者による誤セットによるミスプリントの減少などを可能とする画像編集装置を提供すること。【解決手段】  原稿Ｄの編集対象画像が形成された編集対象面Ｄａと、その裏面の、マーキング画像Ｍの形成された裏面Ｄｂと、を読み取る画像読取装置３と、該編集対象面Ｄａと裏面Ｄｂの画像の画像データを生成する画像処理部９と、該裏面Ｄｂの画像データに基づき該編集対象面Ｄａの画像データを編集する編集処理手部１３と、を備える。編集処理部１３は、前記裏面Ｄｂにおけるマーキング画像Ｍの位置から前記編集対象画像の内の編集エリアＥＡに関する中心座標（ＸＭ、ＹＭ）を獲得する。【選択図】  図５
2006180449.tif 000002
【特許請求の範囲】
【請求項１】
原稿の編集対象画像である第１の画像が形成された第１面とその裏面の第２の画像の形成された第２面とを読み取り第１および第２の画像データを出力する画像読取手段と、
前記第２の画像データに基づき前記第１の画像データを編集する編集処理手段と、を備える画像編集装置であって、
前記編集処理手段は前記第２面における前記第２の画像の位置から前記第１の画像の内の編集領域に関する編集位置情報を獲得することを特徴とする画像編集装置。
【請求項２】
前記第２の画像は編集内容毎に異なる画像であり、
前記編集処理手段は前記第２の画像から前記第１の画像の編集内容を獲得することを特徴とする請求項１に記載の画像編集装置。
【請求項３】
前記第１の画像を編集する編集内容を入力する入力手段を有し、
前記編集処理手段は前記第２の画像データと前記編集内容に基づき前記第１の画像データを編集することを特徴とする請求項１に記載の画像編集装置。
【請求項４】
前記第２面には異なる形状の前記第２の画像が複数形成され、
前記複数の第２の画像のうちの１つを指定する指定情報と前記第１の画像を編集する編集内容とを含む設定情報を入力する入力手段を有し、
前記編集処理手段は前記指定情報で指定された前記第２の画像データと前記編集内容とに基づき前記第１の画像データを編集することを特徴とする請求項１に記載の画像編集装置。
【請求項５】
異なる指定情報毎に複数の設置情報を設定でき、
前記編集処理手段は前記複数の設定情報に基づき前記第１の画像データの複数箇所を編集することを特徴とする請求項４に記載の画像編集装置。
【請求項６】
前記指定情報は、前記画像読取手段による前記第２面の読み取り前に前記入力手段に入力されることを特徴とする請求項４又は５に記載の画像編集装置。
【請求項７】
前記画像読取手段から出力された全第２の画像データを表示する表示部を有し、
前記指定情報は、前記表示部に前記全第２の画像データが表示された後に前記入力手段に入力されることを特徴とする請求項４又は５に記載の画像編集装置。
【請求項８】
前記第２の画像は、前記編集領域の裏面側に形成されていることを特徴とする請求項１乃至７のいずれかに記載の画像編集装置。
【請求項９】
前記第２の画像は、前記編集領域の中心位置を示す情報であることを特徴とする請求項１乃至８のいずれかに記載の画像編集装置。
【請求項１０】
前記第２の画像は、前記編集領域の中心位置上に形成されていることを特徴とする請求項８に記載の画像編集装置。
【請求項１１】
画像データを記憶する記憶手段を備えており、
前記画像読取手段によって前記第１の画像が前記第２の画像よりも先に読み取られる場合には、前記第１の画像データを前記記憶手段に記憶することを特徴とする請求項１乃至１０のいずれかに記載の画像編集装置。
【請求項１２】
前記画像読取手段によって前記第２の画像が前記第１の画像よりも先に読み取られる場合には、前記画像読取手段から出力された前記第１の画像データを読取手段に記憶せずに前記編集処理手段にて編集することを特徴とする請求項１乃至１１のいずれかに記載の画像編集装置。
【請求項１３】
前記画像読取手段によって前記第２の画像が前記第１の画像よりも先に読み取られる場合には、前記画像読取手段は該第１の画像の一部のみの読み取りを行うことを特徴とする請求項１乃至１２のいずれかに記載の画像編集装置。
【請求項１４】
前記画像読取手段は、前記第１面の読取時と前記第２面の読取時で読み取り解像度が異なることを特徴とする請求項１乃至１３のいずれかに記載の画像編集装置。
【発明の詳細な説明】
【技術分野】
【０００１】
本発明は、原稿上の一部の領域の画像データに対して編集処理を行う画像編集装置に関する。
【背景技術】
【０００２】
従来、デジタル型モノクロ／カラー複写機により原稿上の指定された画像領域について色変換、トリミング、反転等の各種画像処理（編集機能）を施して出力する画像編集装置が知られている（第１の従来技術、例えば、特許文献１参照）。
【０００３】
上記編集機能の処理では、まず、原稿上の編集対象部分に直接マーキングを行うことで編集するべきエリアを指定した後に該原稿の読み取りを実行し、そのマーカによってエリア指定された領域を検出し、該検出エリアに限定して「指定範囲削除」「指定範囲抽出コピー」「指定範囲網掛け」「指定範囲カラー変換」「ネガ・ポジ反転」などの編集加工を実行している。エリア指定に利用するマーカペンには、モノクロ複写機においては、原稿の画像濃度より薄く読み取れるマーカペンや、カラー複写機においては、原稿の画像色と異なる色情報を有するカラーマーカペンや、原稿の画像反射率と異なる情報を有する蛍光マーカペンなどが多く用いられている。
【０００４】
また、原稿に直接のマーキングをせずに、原稿の画像データと方眼枠データ等の補助情報とを合成した画像データを仮出力紙として出力し、その仮出力紙にマーキングを行い、そのマーキング情報を読み取り、先に読み取った画像データに編集加工を行うような手法が報告されている（第２の従来技術、例えば、特許文献２参照）。
【０００５】
尚、画像の形状認識技術として、検出した画像の重心を原点とする検出画像についての極座標系ヒストグラムを作成し、その極座標系ヒストグラムをもとに図形認識を行うような手法が報告されている（例えば、特許文献３参照）。また、その他の画像形状認識技術としては、画像データをラスタ走査することで、検出した画像データの位置情報を算出して、検出した位置情報のライン相互間における位置関係を基に、図形認識を行うような手法が報告されている（例えば、特許文献４参照）。
【特許文献１】特開平５−３４４３１４号公報
【特許文献２】特開平７−７４９２７号公報
【特許文献３】特開昭５８−１８７７６号公報
【特許文献４】特開昭５９−７２５７６号公報
【発明の開示】
【発明が解決しようとする課題】
【０００６】
しかしながら、上記第１の従来技術の方法では、原稿上に直接マーキングする必要があるため、原稿を汚してしまうという問題点があった。そのため、保存しておきたい原稿の場合には、別にコピーを取っておく必要があり、無駄な作業、書類の増加等の原稿管理において問題があった。
【０００７】
また、原稿上には画像とマーカ部分が混在するため、画像データ中からそのマーカ部分を検出するエリア指定検出手段が新規に必要となり、処理回路の負担が生じる。さらには、原稿上に直接マーキングする必要があるため、画像データとマーカ部分のデータが混在し、編集目的以外で書かれたマーカ部分でも編集対象エリアとして判断してしまい、必要外の編集を行ってしまう場合なども考えられるなどの問題点もあった。
【０００８】
さらには、原稿の画像データ情報と選択するマーカペンに制約があるため、編集加工ができる原稿が限定されるという問題点があった。
【０００９】
一方、第２の従来技術では、一度、仮出力紙を出力する必要があるため、トナー消費量が増大してしまうという問題点があった。また、画像編集加工を行うために、仮出力紙として出力する処理、仮出力紙にマーキングを行う処理、マーキングされた仮出力紙を再読込みする処理など、処理時間の長期化という問題点があった。また、マーキングされた仮出力紙を再読込みする際に、利用者が誤って原稿をセットした場合には、処理をやり直す必要があるなどの問題があった。
【００１０】
本発明は、上記従来の問題点に鑑みてなされたものであり、編集対象の原稿画像に対して直接マーキングせずに編集範囲を容易に指定でき、複数の編集を一度の処理で実現し、複数の編集修正も容易に行え、処理時間の短縮化を図り、トナー消費量の抑制、利用者による誤セットによるミスプリントの減少などを可能とする画像編集装置を提供することを目的とする。
【課題を解決するための手段】
【００１１】
本発明の第１の要旨は、原稿の編集対象画像である第１の画像が形成された第１面とその裏面の第２の画像の形成された第２面とを読み取り第１および第２の画像データを出力する画像読取手段と、前記第２の画像データに基づき前記第１の画像データを編集する編集処理手段と、を備える画像編集装置であって、前記編集処理手段は前記第２面における前記第２の画像の位置から前記第１の画像の内の編集領域に関する編集位置情報を獲得することを特徴とする。
【００１２】
本発明の第２の要旨は、前記第２の画像は編集内容毎に異なる画像であり、前記編集処理手段は前記第２の画像から前記第１の画像の編集内容を獲得することを特徴とする要旨１に記載の画像編集装置である。
【００１３】
本発明の第３の要旨は、前記第１の画像を編集する編集内容を入力する入力手段を有し、前記編集処理手段は前記第２の画像データと前記編集内容に基づき前記第１の画像データを編集することを特徴とする要旨１に記載の画像編集装置である。
【００１４】
本発明の第４の要旨は、前記第２面には異なる形状の前記第２の画像が複数形成され、前記複数の第２の画像のうちの１つを指定する指定情報と前記第１の画像を編集する編集内容とを含む設定情報を入力する入力手段を有し、前記編集処理手段は前記指定情報で指定された前記第２の画像データと前記編集内容とに基づき前記第１の画像データを編集することを特徴とする要旨１に記載の画像編集装置である。
【００１５】
本発明の第５の要旨は、異なる指定情報毎に複数の設置情報を設定でき、前記編集処理手段は前記複数の設定情報に基づき前記第１の画像データの複数箇所を編集することを特徴とする要旨４に記載の画像編集装置である。
【００１６】
本発明の第６の要旨は、前記指定情報は、前記画像読取手段による前記第２面の読み取り前に前記入力手段に入力されることを特徴とする要旨４又は５に記載の画像編集装置である。
【００１７】
本発明の第７の要旨は、前記画像読取手段から出力された全第２の画像データを表示する表示部を有し、前記指定情報は、前記表示部に前記全第２の画像データが表示された後に前記入力手段に入力されることを特徴とする要旨４又は５に記載の画像編集装置である。
【００１８】
本発明の第８の要旨は、前記第２の画像は、前記編集領域の裏面側に形成されていることを特徴とする要旨１乃至３のいずれかに記載の画像編集装置である。
【００１９】
本発明の第９の要旨は、前記第２の画像は、前記編集領域の中心位置を示す情報であることを特徴とする要旨１乃至８のいずれかに記載の画像編集装置である。
【００２０】
本発明の第１０の要旨は、前記第２の画像は、前記編集領域の中心位置上に形成されていることを特徴とする要旨８に記載の画像編集装置である。
【００２１】
本発明の第１１の要旨は、画像データを記憶する記憶手段を備えており、前記画像読取手段によって前記第１の画像が前記第２の画像よりも先に読み取られる場合には、前記第１の画像データを前記記憶手段に記憶することを特徴とする要旨１乃至１０のいずれかに記載の画像編集装置である。
【００２２】
本発明の第１２の要旨は、前記画像読取手段によって前記第２の画像が前記第１の画像よりも先に読み取られる場合には、前記画像読取手段から出力された前記第１の画像データを読取手段に記憶せずに前記編集処理手段にて編集することを特徴とする要旨１乃至１１のいずれかに記載の画像編集装置である。
【００２３】
本発明の第１３の要旨は、前記画像読取手段によって前記第２の画像が前記第１の画像よりも先に読み取られる場合には、前記画像読取手段は該第１の画像の一部のみの読み取りを行うことを特徴とする要旨１乃至１２のいずれかに記載の画像編集装置である。
【００２４】
本発明の第１４の要旨は、前記画像読取手段は、前記第１面の読取時と前記第２面の読取時で読み取り解像度が異なることを特徴とする要旨１乃至１３のいずれかに記載の画像編集装置である。
【発明の効果】
【００２５】
第１の要旨によれば、編集処理手段は、編集画像を形成した裏面側に形成された第２の画像を読み込むことで、編集する第１の画像の内の編集位置を特定できる。従って、編集する原稿面に対して直接マーキングする必要が無くなり、原稿の汚れを防止できる。また、編集する原稿画像の複写を取る必要も無いので、トナー消費量の抑制を図り、寿命の低下を防止できる。
【００２６】
第２の要旨によれば、編集処理手段は、編集画像を形成した裏面側に形成された第２の画像を読み込むことで、編集する第１の画像の内の編集位置と編集内容を決定でき、ユーザーの編集処理を効率化できる。
【００２７】
第３の要旨によれば、編集内容を入力手段より入力する構成とすることで、細かな編集内容を規定できる。
【００２８】
第４の要旨によれば、編集する第１の画像の内の複数の編集位置を特定できるので、第１の画像データに対する複数の編集が可能となり、編集内容毎に同一の第１の画像を形成した原稿を用意する必要をなくすことができる。
【００２９】
また、第１、第２の画像データを用いることで、異なる編集処理を再度の原稿の読み取り無しに設定情報の変更のみで可能となり同一の編集対象画蔵に対する複数種類の編集作業を用意に実行できる。
【００３０】
第５の要旨によれば、複数の処理を１回の読込処理と１回の出力処理で可能となり、切り貼りなどの煩雑な処理を無くすことができ、用紙やトナーの消費を抑えることができ、処理スピードを高め、装置の磨耗を抑制し寿命を延ばすことができる。
【００３１】
第６の要旨によれば、原稿の読取開始後は自動的に編集出力まで行われるので、ユーザーが装置前面から離れることができる。
【００３２】
第７の要旨によれば、検出された全ての第２の画像の検出状況を表示部で把握できる。そのため、装置の誤検出に基づく誤った編集出力を無くすことができ、例えば、ユーザーがフリーハンドで書き込んだ第２の画像のように不明瞭性の残る場合でも、装置が正しく検出しているかどうかを確認できるので、検出可能な第２の画像への修正ができ、確実な編集処理ができる。
【００３３】
第８の要旨によれば、ユーザーは簡単に編集領域の設定ができる。
【００３４】
第９の要旨によれば、第２の画像を編集領域の基準となる中心位置の情報とすることで、第２の画像より第１の画像の画像編集領域の中心位置を特定できる。従って、第１の画像の画像編集領域の特定が容易となる。
【００３５】
第１０の要旨によれば、第２の画像を編集領域の基準となる中心位置上に形成することで、第２の画像より第１の画像の画像編集領域の中心位置を特定できる。従って、第１の画像の画像編集領域の特定が容易となる。
【００３６】
第１１の要旨によれば、記憶手段に記憶した第１の画像データを編集処理手段が編集するため、あらゆる画像編集機能を実現できる。また、第２の画像を後から読み取っている途中で不具合が発生しても、リカバリー処理が円滑に行えて、トータルの処理時間を短縮できる。
【００３７】
第１２の要旨によれば、第１の画像データを記憶手段に記憶せずに画像編集機能を実現するため、処理時間を短縮できる。また、画像データを記憶するのに必要な記憶領域を他の処理用に利用することが可能となり、機器性能が向上する。
【００３８】
第１３の要旨は、前記第２の画像を先に読み取ることで、編集機能（編集内容）や編集位置を特定できるため、その編集内容に使用する第１の画像のみを読み取れば編集処理手段は編集処理を実行できる。従って、読み取りをユーザーが所望する画像編集機能に必要十分な領域のみを読み取ることにより、画像編集機能を実現するための処理時間を短縮できる。また、読取手段を効率良く使用できるため、マシン寿命の低下を防止できる。
【００３９】
第１４の要旨は、第２の画像は第１の画像の編集内容や編集位置を特定するための簡単なマーク等であり、複写等の対象でもないので、その読み取り時には解像度を上記特定可能な範囲まで下げることができる。従って、第１面の読取解像度に比較して第２面の読取解像度を下げることができ、第２面の読取時間を短縮できる。よって、その後の画像編集機能を実現するための処理時間を短縮できる。また、画像読取手段を効率良く使用できるため、マシン寿命の低下を防止できる。
【発明を実施するための最良の形態】
【００４０】
［第１の実施の形態］
本発明の第１の実施の形態について図面を参照して説明する。尚、以下の実施の形態及び実施例は、本発明を具体化した一例であって、本発明の技術的範囲を限定する性格のものではない。
【００４１】
図１は、本発明の第１の実施の形態に係る画像編集装置としてのデジタル（カラー）複合機１の概略縦断面図である。図１は、特に、デジタル複合機１の原稿画像の読み込み処理を実行する画像読取装置３とシート上へ画像形成処理を実行する画像形成装置５とを示しており、始めに画像読取装置３と画像形成装置５について説明する。
【００４２】
＜画像読取装置３＞
画像読取装置３は、図１の上方よりシート給送部３ａと光学系３ｂと備えて構成されており、複写機やファクシミリ装置のスキャナ装置として用いられ、原稿の片面及び両面の画像を読み取りを可能とする構成である。以下、詳細に説明する。
【００４３】
＜シート給送部３ａ＞
シート給送部３ａは、デジタル複合機１の奥側（図１の紙面奥側）にて、光学系３ｂとの間に設けられたヒンジ（図示せず）を回動支点として、上方に回動するようになっている。これにより、画像読取装置３では、紙面手前側から、原稿台ｂ１の上面を開放できるようになっており、搬送できないブック物の原稿等を原稿台にセットできるようになっている。
【００４４】
シート給送部３ａは、自動的に原稿を光学系３ｂの読み取り部に搬送、排出するものであり、原稿載置用の原稿トレイ（シート載置部）ａ１と、原稿トレイａ１上の原稿の有無を検知する原稿検出器ａ２と、原稿トレイａ１上の原稿を１枚ずつ取り込むピックアップローラａ３と、１枚の原稿（シート）だけを搬送するために対向する給紙ローラａ４と分離ローラａ５と、搬送方向を略１８０度（１８０度含む）変える湾曲搬送路ａ６と、画像の読み取りタイミングに合わせて原稿台ｂ１上に向けて原稿を搬送レジストローラａ８と、搬送レジストローラ３ａ８よりも原稿搬送方向上流側には設けてレジストローラａ７による搬送原稿の有無を検知する原稿搬送タイミング検出器ａ７と、前記原稿台ｂ１上の原稿を搬送するための原稿搬送手段（ベルト）ａ９と、読み取り後の原稿を収容するシート排出部ａ１０と、を有している。
【００４５】
また、シート給送部３ａは、原稿の表面（第１面）の読み取りの終了後に、裏面（第２面）の読み込みを連続して可能とするために、原稿搬送手段ａ９の終端側とシート排出部ａ１０との間に、搬送されてきた原稿の搬送方向を変換する反転ローラａ１１と、反転ローラａ１１から分離した原稿をシート排出部ａ１０と原稿台ｂ１側のいずれかに振り分けるフラッパａ１２と、を有している。また、原稿搬送手段（ベルト）ａ９は、フラッパａ１２から分離した原稿を原稿台ｂ１上の読み取り部（Ｐｏｓ１）まで搬送するために搬送方法を正逆反転可能に構成されている。
【００４６】
前記湾曲搬送路ａ６は、あらゆる種類の原稿の安定供給をメーカーが保証できる曲率となっており、読み取り可能な原稿の内、最も厚い、すなわち最も腰のある原稿を円滑に搬送できる曲率となっている。
【００４７】
原稿搬送手段ａ９はベルトに限らず、原稿を搬送可能なものであればよく、例えばローラであってもよい。
【００４８】
原稿トレイａ１上に載置された原稿（１枚又は積層状態）は、原稿検出器ａ２で検出されると共にピックアップローラａ３により１枚ずつ取り込まれ、給紙ローラａ４と分離ローラａ５により１枚の原稿（シート）だけが湾曲搬送路ａ６に送り込まれ、画像を読み取るタイミングに合わせてレジストローラａ８より原稿台ｂ１上に向けて原稿が搬送される。
【００４９】
レジストローラａ８からの原稿は、原稿搬送手段ａ９により読み取り位置まで搬送、載置され、表面（第１面）の画像の読み取り終了後、原稿搬送手段ａ９により反転ローラａ１１側に搬送される。続いて、裏面（第２面）の画像の読み取りを実行するためにフラッパａ１２は反転ローラａ１１からの原稿を原稿台ｂ１に送る方向に設定される。表面の画像の読み取りが終了した原稿は、反転ローラａ１１とフラッパａ１２を通過する間に原表裏逆転された状態で原稿台ｂ１上に再度送られ、原稿搬送手段ａ９により再度読み取り位置まで搬送、載置される。
【００５０】
上記反転ローラａ１１とフラッパａ１２を用いた原稿反転機構を用いた場合には、原稿台ｂ１に対して載置される表面と裏面とでは原稿搬送方向（副走査方向）に関して逆転されている。尚、本実施形態では原稿台ｂ１上の１の原稿読み取り開始位置から光学系３ｂによる原稿読み取りが開始される場合を想定するので、表面の原稿読み取りと裏面の原稿読み取りでは、前記原稿読み取り開始位置に載置される原稿上の位置が副走査方向で反転している。
【００５１】
裏面側の画像の読み取り終了後には、フラッパａ１２は原稿をシート排出部ａ１０側に搬送するように搬送路を切り換えられ、裏面側の画像の読み取り終了の終了した原稿は反転ローラａ１１、フラッパａ１２を通ってシート排出部ａ１０に送り出される。
【００５２】
＜光学系３ｂ＞
光学系３ｂは、原稿を載置する原稿台（プラテンガラス）ｂ１と、原稿台ｂ１を介して原稿を照射し、且つ、その原稿からの反射光を受光する光源ユニットｂ２と、該反射光を受光、電気信号に変換するＣＣＤ読取りユニットｂ３と、該光源ユニットｂ２から読取りユニットｂ３まで反射光を導くミラーユニットｂ４と、光源ユニットｂ２の位置を検出するための光源ユニット検出器ｂ５と、を有している。
【００５３】
光源ユニットｂ２は、光源ｃ１と、その光源ｃ１からの読み取り用の照明光を前記原稿台ｂ１上の所定の読み取り位置に集光するミラーｃ２と、原稿からの反射光のみを通過させるスリットｃ３と、前記スリットｃ３を通過した光の光路を９０°変更するミラーｃ４とを備えている。
【００５４】
ＣＣＤ読取りユニットｂ３は、読み取り手段であるＣＣＤ（Charge Coupled Device）であり、結像レンズｄ１およびＣＣＤイメージセンサｄ２などを備えて構成される。
【００５５】
前記ミラーユニットｂ４は、前記光源ユニットｂ２からの光の光路を１８０°変更する一対のミラーｅ１，ｅ２を備えて構成されている。前記光源ユニットｂ２の速度をＶとすると、ミラーユニットｂ４はＶ／２の速度で、矢符Ａ方向（副走査方向）に変位してゆくことによって、原稿画像を読み取ることができる。
【００５６】
光学系３ｂは、原稿台（プラテンガラス）ｂ１上に載置され、平面支持された原稿の画像を、光源ユニットｂ２およびミラーユニットｂ４によって、固定位置に設けられた前記ＣＣＤ読取りユニットｂ３に結像し、読み取りを行う。
【００５７】
画像読取装置３では原稿が原稿台ｂ１上に載置され、停止した状態でその画像を読み取る原稿固定モードと、原稿を搬送しながらその画像を読み取る原稿搬送モードとを有している。
【００５８】
原稿固定モードでは、光源ユニットｂ１は、図１中の読み取り開始位置Ｐｏｓ１の位置からＰｏｓ２の位置の方向に、図１に図示しない原稿サイズ検出器等で検出されたサイズに応じて所定距離だけ移動しつつ、光源ｃ１やＣＣＤｄ２を駆動し、原稿の表面（下側）の画像を読み取る。上記光源ユニットｂ１の移動に伴ってミラーユニットｂ４も副走査方向Ａに移動する。上記光源ユニットｂ１、ミラーユニットｂ４の移動は、ステッピングモータ等の図示しない走査モータによって行っている。また、光源ユニットｂ１の開始位置Ｐｏｓ１の特定は光源ユニット検出器ｂ５よって検出される。
【００５９】
一方、原稿搬送モードの場合は、図示しない前記走査モータを停止させた状態で光源ｃ１やＣＣＤｄ２を駆動させた状態で原稿を一定の速度で搬送させながら画像の読み取りを行う。すなわち、光源ユニットｂ１を図１のＰｏｓ１の位置で停止させ、原稿を搬送させながら読み取りを行う。
【００６０】
尚、光学系３ｂとしては原稿の画像を読み取れる構成であればよく、上記構成に限定するものではない。例えば、ＣＣＤ読取りユニット３ｂは、少なくともＣＣＤイメージセンサｄ２、結像レンズｄ１および光源ｃ１を一つのユニットに構成した縮小読取光学系または等倍読取光学系のユニットを所定速度Ｖで走査させる構造でもよい。
【００６１】
以上説明したように、画像読取装置３は原稿の両面を共通の光学系３ｂにより読み取っている。すなわち、第１面の読み取り時には、原稿を光学系３ｂに対して第１の搬送方向で搬送し、第２面の読み取り時には原稿を光学系３ｂに対して第１の搬送方向と１８０度変更した第２の搬送で搬送する構成である。尚、本願発明では、共通の光学系３ｂを用いたが、第１面と第２面の読み取りに別々の光学系を用い、各光学系への搬送方向を１８０度変更する構成であってもよい。
【００６２】
＜画像形成装置５＞
前記光学系３ｂにて読み取られた画像データは、所定の画像処理、編集処理が施された後に画像形成装置５に入力され、トナーを用いてシート上に複写、再現され、排出される。尚、画像データの画像処理や編集処理をかかる画像形成装置５内で行っても良く、また、光学系３ｂにて読み取られた画像データや、所定の画像処理や編集処理を行った画像データをメモリに一旦記憶し、出力指示に応じてメモリ内の画像を読出する構造とできることはいうまでもない。
【００６３】
画像形成装置５は、その装置内部の制御を司る制御部５ａと、画像データに基づいてレーザを照射する光書込み装置であるレーザ書込みユニット５ｂと、該レーザを照射される感光体ドラム５ｃと、該感光体ドラム５ｃを所定の電位に帯電させる帯電器５ｄ、感光体ドラム５ｃ上に形成された静電潜像にトナーを供給してカラーの顕像化する複数個の現像器５ｅ（図面では１つのみ記載）、感光体ドラム５ｃ表面に形成されたトナー像をシートに転写する転写器（転写チャージャ等）５ｆ、感光体ドラム５ｃ表面を除電する除電器（除電チャージャ等）５ｇ、余分なトナーを回収するクリーニング器５ｇと、を備えている。帯電器５ｄ、現像器５ｅ、転写器５ｆ、除電器５ｇ及びクリーニング器５ｈは、感光体ドラム５ｃの周囲に係るドラム５ｃの回転方向に従って前記記載の順番に配置されている（図１参照）。
【００６４】
レーザ書込みユニット５ｂは、メモリから読出した画像データ、または外部の装置から転送されてきた画像データに応じてレーザ光を出射する半導体レーザ光源、レーザ光を等角速度偏向するポリゴンミラー、等角速度で偏向されたレーザ光が感光体ドラム５ｃ上において等角速度で偏向されるように補正するｆ−θレンズなどをから構成されている。なお、本実施例では、書込み装置としてレーザ書込みユニットを用いているが、ＬＥＤやＥＬ等の発光素子アレイを用いた固体走査型の光書込みヘッドユニットを用いてもよい。
【００６５】
また、画像形成装置５は、感光体ドラム５ｃから分離された画像が転写されたシートに対してトナー画像をシートに定着させる定着ユニット５ｉを備えている。定着ユニット５ｉは、一対のローラからなり、該ローラ内に熱源を設け、該一対のローラ間をシートが通過する間にトナー画像とシートに熱を付与することで定着を行う。
【００６６】
さらに、画像形成装置５は、定着ユニット５ｉの排出側に、シートの裏面に再度画像を形成するためにシートの前後を反転させるスイッチバック路５ｊ、排紙ローラ５ｋ、画像が形成（定着）されたシートに対してステープル処理等を行うとともに昇降トレイを有する後処理装置５ｌを備えている。
【００６７】
画像形成装置５の給紙部は、上記転写器５ｆ、除電器５ｇの下方に配設されており、本体に備えられた手差トレイ５ｍ，両面ユニット５ｎ，用紙トレイ５ｏと多段給紙部５ｐに備えられた給紙トレイ５ｐ１，５ｐ２で構成されている。また、これらのトレイ５ｍ，５ｏ，５ｐ１，５ｐ２から給紙したシートを転写器５ｆが配置された転写位置へと搬送する搬送手段５ｑを備えている。両面ユニット５ｎは、シートを反転させるスイッチバック路５ｊに通じており、シートの両面に画像形成を行う時に用いられる。なお両面ユニット５ｎは通常の用紙カセットと交換可能な構成となっており、両面ユニット５ｎを通常の用紙カセットに置き換えた構成とすることも可能となっている。
【００６８】
上記構成により、トレイ５ｍ，５ｏ，５ｐ１，５ｐ２のいずれかよい給紙されたシートは転写器５ｆが配置された転写位置へと搬送され、該転写位置にて該感光体ドラム５ｃ上に形成されたトナー画像が該搬送されたシート上に転写され、定着ユニット５ｉにてトナー画像がシート上に定着された後に、必要に応じてスイッチバック路５ｊと両面ユニット５ｎを経て排紙ローラ５ｋにて後処理装置５ｌへと導かれ、ここで所定の後処理が施された後、排出される。
【００６９】
また、図示していないがシートを数千枚収納可能な大容量給紙トレイを装着することもできる。
【００７０】
尚、画像形成装置５の構成ではトナーを用いて用紙上に複写を行う場合を説明したが、本願発明を適用できる画像形成装置はシート上に画像を形成できる装置であればよく、上記構成に限定するものではなく、例えば、インク等を用いてシート上に複写を行う構成、装置であっても良い。
【００７１】
上記デジタル複合機１ではカラー複写機について説明したが、モノクロ複写機であってもよいことはいうまでもない。
【００７２】
＜編集方法＞
本実施の形態では、編集を希望する原稿の編集対象面（第１面）の裏面（第２面）に、該編集対象面の内で編集を行うべき編集エリア（編集範囲）に関する編集位置情報を示す。係る構成とすることで、原稿の編集対象面には編集のための書き込みがなされないために、編集対象面を汚すなどの問題を解決でき、且つ、編集対象面のコピーを撮るなどの余計な処理、不要なコピーの発生を抑制できる。特に、原稿の裏面側に編集エリアの指定に用いるマーク以外の画像を形成しない構成とすることで、該マークと原稿画像とを区別する処理が必要なくなり、編集処理のミスなども防げる。
【００７３】
前記裏面に付与する編集エリアの指定に用いるマーク方法は、編集エリア全体を実線や破線等によりマークする場合と、該編集エリアの中心位置等一部の基準位置をマークする方法がある。
【００７４】
編集エリア中の基準位置をマークする場合としては、編集エリアの中心位置のみをマークする場合や、２点指定、４点指定などを利用しても良い。以下、編集エリアの中心位置のみをマークする場合について説明する。
【００７５】
図５の（１）はマーキング画像Ｍを付した裏面（第２面）を示し、（２）はマーキング画像Ｍの拡大図であり、（３）は編集対象面の編集前後を示している。
編集エリアの指定方法は、図５に示すように原稿Ｄの裏面Ｄｂのうち、編集対象面Ｄａの編集エリア（編集領域）ＥＡの中心点（ＸＭ，ＹＭ）（編集位置情報）の裏面位置（Ｘｍ，Ｙｍ）（編集位置情報）に所定マーキング画像Ｍを付与しておき、操作パネル部７を介して中心点（ＸＭ，ＹＭ）（又は（Ｘｍ，Ｙｍ））を中心とした編集エリアＥＡの指定型、走査方向（Ｘ，Ｙ）に関する大きさ（ＲＸ，ＲＹ）を入力することで行われる。以下、上記編集処理を実行する構成、処理内容について具体的に説明する。
【００７６】
＜デジタル複合機１＞
図２は、本発明の第１の実施の形態に係る画像編集装置としてのデジタル複合機１の概略ブロック図である。図３は、本発明の第１の実施の形態に係る画像編集処理の概略フローチャートである。
【００７７】
デジタル複合機１は、その全体を制御する制御部２と、前記画像読取装置３と、該画像読取装置３と制御部２との間に設けた画像読取インタフェース３Ａと画像読取制御部３Ｂと、前記画像形成装置５と、該画像形成装置５と制御部２との間に設けた画像出力インタフェース５Ａと画像出力制御部５Ｂと、操作パネル部７と、該操作パネル部７と制御部２との間に設けたパネルインタフェース７Ａとパネル制御部７Ｂと、画像処理部９と、画像エリア検出部１１と、画像編集部１３と、画像記録部１５と、を有している。
【００７８】
画像読取制御部３Ｂは、制御部２からの制御信号に基づき、画像読取インタフェース３Ａを介して画像読取装置３（図１，２）から編集対象原稿Ｄの両面Ｄａ，Ｄｂ（図５）の画像読取データを取得できる（図３のステップＳ１）。
【００７９】
パネル制御部７Ｂは、操作パネル部７から画像編集条件（編集内容）をパネルインタフェース７Ａを介して受け取り、制御部２に送信し、また、制御部２からの指令に基づきユーザーへの報知情報を操作パネル部７に表示させる。画像編集条件は、ユーザーが操作パネル部７を通じて入力する。
【００８０】
画像編集条件は、編集内容、例えば、指定範囲削除、指定範囲抽出コピー、指定範囲網掛け、指定範囲カラー変換、指定範囲ネガ・ポジ変換、指定範囲拡大／縮小などを指定するためのエリア指定モード、または、編集を行わないことを示すエリア指定無しモードである。エリア指定モードでは、エリア指定の型、長さ、倍率を指定でき、詳細については後述する。尚、操作パネル部７は、外付け装置による指定も可能である。
【００８１】
画像処理部９は、画像読取装置３から入力された画像読取データのうち、図５に示す編集対象面Ｄａの画像データに画像処理を施し、デジタルの画像データに変換する（図３のステップＳ２）。この編集対象面Ｄａの画像データについては、画像記憶部１５に記憶される（図３のステップＳ３）。画像記憶部１５は、ＳＤＲＡＭ、ＤＩＭＭ、ＳＲＡＭ、ハードディスクなどが使用でき、特に限定するものではない。
【００８２】
エリア検出部１１は、画像読取装置３から入力された画像読取データのうち、図５に示す裏面Ｄｂの画像データからマーキング画像Ｍの有無判断を行う。マーキング画像Ｍがある場合には、マーキング画像Ｍの原稿読み取り開始位置である裏面Ｄｂの（Ｘｏ，Ｙｏ）に対する中心位置（Ｘｍ，Ｙｍ）を検出する。係る中心位置（Ｘｍ，Ｙｍ）の裏面側が編集対象面Ｄａの編集エリアＥＡの基準となる。エリア検出部１１は、中心位置（Ｘｍ，Ｙｍ）に基づき、編集対象面Ｄａの原稿読み取り開始位置（ＸＯ，ＹＯ）に対する編集エリアＥＡの中心位置（ＸＭ，ＹＭ）および編集領域ＥＡを決定する（図３のステップＳ４）。尚、本実施形態では、先に説明したように表面の原稿読み取りと裏面の原稿読み取りでは、前記原稿台ｂ１の原稿読取り開始位置に載置される原稿上の位置が副走査方向で反転するため、原稿Ｄの副走査方向の長さをＤＹとする（ＸＭ，ＹＭ）＝（Ｘｍ，ＤＹ−Ｙｍ）の関係となる。尚、係る位置関係は基準位置を原稿台ｂ１の１点とした場合であり、基準位置を原稿上の１点とすることで（ＸＭ，ＹＭ）＝（Ｘｍ，Ｙｍ）の関係とすることもできる。
【００８３】
画像編集部１３は、ユーザーにより設定された前記画像編集条件とエリア検出部１１で得られた結果により、入力画像読取データのうち、編集対象面Ｄａの画像データに対して、画像編集処理を施し、出力データ（印字データ）を作成する（図３のステップＳ５）。
【００８４】
画像出力制御部５Ｂは、画像出力インタフェース５Ａを介して画像形成装置５（図１，２）へ出力データ（印字データ）を送り、画像形成装置５により編集画像を出力する（図３のステップＳ６）。画像形成装置５はコピー出力装置として説明したが、スキャナ出力装置、ＦＡＸなどでもよい。従って、画像形成装置の編集画像の出力形式としては、シート上に形成する場合に限定されず、表示装置に表示したり、送信回線（有線、無線を含む）を通じて転送する等も含む。
【００８５】
＜エリア指定モード＞
図４のフローチャートに従って、前記エリア指定モードでの処理過程をより詳細に説明する。
【００８６】
まず、画像読取制御部３Ｂは、原稿検出器ａ２（図１）の検出出力に基づいて、原稿が原稿トレイａ１（図１）に載置されるのを待機している（ステップＳ１１で「Ｎｏ」）。そして、原稿が原稿トレイａ１（図１）に載置されると（ステップＳ１１で「Ｙｅｓ」）、画像読取制御部３Ｂは、原稿Ｄの読取準備を開始する。
【００８７】
次に、予めユーザーにより操作パネル部７で設定された指定型、指定長、指定倍率、エリア指定モードなどの画像編集条件を取得する（ステップＳ１２）。エリア指定モードには、指定範囲の削除、指定範囲のみを抽出してコピー、指定範囲を網掛け、指定範囲のカラー変換、指定範囲の表示をネガ・ポジ変換、指定範囲の拡大、指定範囲の縮小、或はエリア指定無しの８つの選択肢がある。
【００８８】
次に、画像読取制御部３Ｂは、原稿Ｄの読取開始の指示を待ち（ステップＳ１３で「Ｎｏ」）、スタートキー（図示せず）の押下により原稿Ｄの読取開始が指示されると（ステップＳ１３で「Ｙｅｓ」）、原稿の読取処理を開始する。
【００８９】
次に、エリア指定モードが設定されているか否かを判断し（ステップＳ１４）、設定されている場合は（ステップＳ１４で「Ｙｅｓ」）、エリア指定モード用の処理に移行する（ステップＳ１５）。エリア指定モードを選択したユーザーは、予め、図５に示すように原稿Ｄに対して、編集対象面Ｄａの編集エリアＥＡの中心点（ＸＭ，ＹＭ）の裏面側部分（Ｘｍ，Ｙｍ）にマーカペンでマーキング画像Ｍを付加することが前提となる。マーカペンの種類は特定しない。
【００９０】
次に、編集対象面Ｄａが先に読み取られるか否かを判断する（ステップＳ１５）。
【００９１】
＜編集対象面Ｄａを先読取＞
編集対象面Ｄａが先に読み取られる場合は（ステップＳ１５で「Ｙｅｓ」）、画像読取装置３により入力された画像読取データである編集対象面Ｄａの画像データを画像処理部９にて画像処理を施した後、その処理された未編集の編集対象面の画像データを画像記憶部１５に記憶する（ステップＳ１６）。
【００９２】
上記のように、予め、いずれの面から読み込みを行うかの順番を操作パネル部７にて設定しておくこと、例えば、始めの読み込みが編集対象面Ｄａで次の読み込みが裏面Ｄｂである等の設定をしておくことで、編集対象面Ｄａとマーキング画像Ｍを付した裏面Ｄｂの認識処理を効率的にでき、編集対象面Ｄａの削除されるべき画像や裏面Ｄｂのマーキング画像Ｍ以降等の不要な画像の読み取りを無くすことができ、また、記憶手段への不要な格納を省略することができ、制御部１７等の画像処理の負担の軽減、処理の高速化、効率化を実現できる。ただし、これに限定するものではなく、原稿面の読み込み順番の指定を行わず、両面の画像データを両方とも読み込み、両方とも画像記憶部１５に記憶しておき、マーキング画像を検知したときに、画像処理手順を変更するような手法でもよい。
【００９３】
次に、原稿を反転ローラ部ａ１１（図１）で原稿Ｄを反転させて、再度、画像読取装置３により入力された画像読取データであるマーキング画像Ｄｂを読み取り（ステップＳ１７）、エリア検出部１１にてエリア検出処理を施し、エリア検出結果を記憶する（ステップＳ１８）。エリア検出処理の詳細については後述する（図５〜図８）。
【００９４】
次に、画像記憶部１５に記憶されている未編集の編集対象面Ｄａの画像データを読出し、前記エリア検出結果と前記操作パネルに入力された画像編集条件を基に、読み出した画像データに対して画像編集部１３にて画像編集処理を施し、編集画像データである出力データ（印字データ）を作成する（ステップＳ１９）。
【００９５】
＜マーキング画像Ｍを先読取＞
マーキング画像Ｍが先に読み取られる場合は（ステップＳ１５で「Ｎｏ」）、マーキング画像Ｍが正しく読み取られるか否かを判断し（ステップＳ２１）、正しく読み取られた場合は（ステップＳ２１で「Ｙｅｓ」）、画像読取装置３により入力された画像読取データであるマーキング画像Ｍをエリア検出部１１にて、エリア検出処理を施し、エリア検出結果を記憶する（ステップＳ２２）。エリア検出処理については、後述する（図５〜図８）。
【００９６】
次に、原稿Ｄを反転ローラ部ａ１１（図１）で反転させて、得られたエリア検出結果と画像編集条件を基に、画像読取制御部３Ｂにて最適な読取方法を選択する（ステップＳ２３）。係る最適読取方法の選択を行うことで、画像編集処理に不要な画像エリアを読み取らないように制御することで、処理時間の短縮化を図ることができる。
【００９７】
次に、前記選択した最適読取方法に基づいて、画像読取装置３により編集対象面Ｄａが読み取られ、係る画像データを画像処理部９にて、画像処理を施し、得られたエリア検出結果と画像編集条件を基に、画像編集部１３にて、画像編集処理を施し、出力データ（印字データ）を作成する（ステップＳ２４）。
【００９８】
また、エリア指定モードで無い場合は（ステップＳ１４で「Ｎｏ」）、画像編集を行わない通常の画像入力処理を行い（ステップＳ２６）、通常の画像処理および画像編集処理を行い、出力データ（印字データ）を作成する（ステップＳ２７）。
【００９９】
最後に、出力データ（印字データ）作成後、所定のフォーマットで、画像出力制御部５Ｂより、画像形成装置５へ出力データ（印字データ）を出力する（ステップＳ２０、ステップＳ２５、ステップＳ２８）。
【０１００】
また、原稿の両面の画像データより、マーキング画像が正しく検出されない場合は（ステップＳ２１で「Ｎｏ」）、「エリア指定編集を行うことができません」などといったメッセージを表示画面（図示せず）に表示して、原稿の搬送および読取を中断させる（ステップＳ２９）。
【０１０１】
＜エリア検出処理＞
図５は、エリア検出処理を模式的に表した図であり、エリア指定モードの一例を示している。図６は、エリア指定モード時のエリア検出処理過程（図４、ステップＳ１８、ステップＳ２２）のフローチャートである。図７は、エリア検出処理過程のうち、マーキング画像の中心位置を算出する処理過程（図６、ステップＳ４２）を詳細に説明したフローチャートである。図８は、エリア検出処理過程のうち、編集対象面の画像データの画像編集条件を調整する処理過程（図６、ステップＳ４４）を詳細に説明したフローチャートである。
【０１０２】
まず、マーキング画像Ｍの原稿読取開始位置（Ｘｏ、Ｙｏ）、および編集対象面Ｄａの画像データの原稿読取開始位置（ＸＯ、ＹＯ）を図示しない記憶部に記憶する（ステップＳ４１）。
【０１０３】
＜マーキング画像の中心位置算出＞
次に、マーキング画像Ｍの中心位置を算出する（ステップＳ４２）。
【０１０４】
マーキング画像Ｍの有無を判断し、マーキング画像Ｍの中心点（Ｘｍ，Ｙｍ）を算出する一例を図５に示す。算出手段としては、主走査方向Ｘのデータを検知し、その主走査方向Ｘの連続データをカウント（Ｘｃｎｔ）し、カウント値Ｘｃｎｔがある閾値以上を満足するラインをマーカラインとし、このマーカラインを副走査方向に関してカウント（Ｙｃｎｔ）する。
【０１０５】
主走査方向Ｘに関するマーキング検知データの平均画素位置Ｘｍ、および副走査方向Ｙに関するマーカカウントライン平均値Ｙｍをマーキング画像Ｍの中心点（Ｘｍ，Ｙｍ）とする。ただし、本算出手段は一例であり、マーキング画像Ｍの形状、サイズは限定するものではない。また、マーキング画像Ｍの検知手段としては、濃度・輝度を利用しても良い。また、本実施形態によれば、編集エリアの検出にマーキング画像Ｍの中心点を利用したが、これに限定するものではなく、前記したように２点指定、４点指定などを利用しても良い。
【０１０６】
マーキング画像の中心位置を算出する処理手順について、図５、７を参照しつつ説明する。
【０１０７】
まず、主走査方向エリア画素カウンタ（Ｘｃｎｔ）、副走査方向エリアラインカウンタ（Ｙｃｎｔ）を初期化し（ステップＳ５１）、マーキング画像Ｍが付加されている原稿面Ｄｂの１ライン分を読取開始する（ステップＳ５２）。主走査方向エリア開始位置座標（Ｘｓ）についても初期化する（ステップＳ５３）。
【０１０８】
次に、マーキング画像Ｍがあるか否かを判断し（ステップＳ５４）、マーキング画像Ｍがある場合は（ステップＳ５４で「Ｙｅｓ」）、主走査方向エリア画素カウンタ（Ｘｃｎｔ）を１カウントだけ加算する（ステップＳ５５）。最初にマーキング画像Ｍを検知した場合のみ（ステップＳ５６で「Ｙｅｓ」）、主走査方向エリア開始位置座標（Ｘｓ）を記憶部に記憶する（ステップＳ５７）。
【０１０９】
次に、１ライン分の全データを読取完了したか否かを判断し（ステップＳ５８）、１ライン分の全データを読取完了していない場合は（ステップＳ５８で「Ｎｏ」）、マーキング画像Ｍがあるか否かを判断する処理から同じ処理を繰り返す（ステップＳ５４）。１ライン分の全データを読取完了した場合は（ステップＳ５８で「Ｙｅｓ」）、主走査方向エリア画素カウンタ（Ｘｃｎｔ）がある閾値（ＭＡＲＫ）以上か否かを判断する処理へ移行する（ステップＳ５９）。例えば、マーキング画像Ｍの原稿面Ｄｂを読取解像度１００ｄｐｉ（dot／inch）で読み取る場合、５（mm）以上をマーキング画像とするとして、ＭＡＲＫ＝２０画素(dots)とするなどの方法が考えられる。
【０１１０】
予め、原稿面のどちらの面にマーキング画像Ｍが付与されているかを操作パネル部１にて設定しておくことによって、裏面Ｄｂの画像データの読取解像度を編集対象面Ｄａの画像データの読取解像度より低解像度で読むことも可能となり、処理速度を速めるなど処理の効率化を図ることができる。ただし、これに限定するものではなく、同じ読取解像度で読み取るようにしても、原稿面の指定を行わなくても良い。
【０１１１】
主走査方向エリア画素カウンタ（Ｘｃｎｔ）が閾値（ＭＡＲＫ）未満の場合は（ステップＳ５９で「Ｎｏ」）、マーキング画像は存在しないものと判定し、全ライン読取完了したか否かを判断する処理へ移行する（ステップＳ６４）。
【０１１２】
主走査方向エリア画素カウンタ（Ｘｃｎｔ）が閾値（ＭＡＲＫ）以上の場合は（ステップＳ５９で「Ｙｅｓ」）、マーキング画像Ｍが存在するものと判定し、副走査方向エリアラインカウンタ（Ｙｃｎｔ）を１カウントだけ加算する（ステップＳ６０）。最初にマーキング画像Ｍが存在するものと判断した場合のみ（ステップＳ６１で「Ｙｅｓ」）、副走査方向エリア開始位置座標（Ｙｓ）を記憶部に記憶する（ステップＳ６２）。
【０１１３】
次に、１ラインにおける主走査方向エリア中心座標（Ｘｓｎ）を算出し、記憶部に記憶する（ステップＳ６３）。ここで、ｎ＝Ｙｃｎｔであり、主走査方向エリア中心座標（Ｘｓｎ）は（Ｘｓｎ＝Ｘｓ＋Ｘｃｎｔ／２）より算出する。
【０１１４】
次に、全ライン読取完了したか否かを判断し（ステップＳ６４）、全ライン読取完了していない場合は（ステップＳ６４で「Ｎｏ」）、１ライン分を読取開始する処理から同じ処理を繰り返す（ステップＳ５２）。全ライン読取完了した場合は（ステップＳ６４で「Ｙｅｓ」）、マーキング画像の中心座標（Ｘｍ、Ｙｍ）を算出し、記憶部に記憶する（ステップＳ６５）。ここで、ｎ＝Ｙｃｎｔであり、マーキング画像の主走査方向エリア中心座標（Ｘｍ）は（Ｘｍ＝（Ｘｓ１＋Ｘｓ２＋・・・＋Ｘｓｎ）／２）より算出する。マーキング画像の副走査方向エリア中心座標（Ｙｍ）は（Ｙｍ＝Ｙｓ＋Ｙｃｎｔ／２）より算出する。
【０１１５】
＜編集エリアの中心座標算出＞
次に、マーキング画像Ｍの読取解像度と編集対象面Ｄａの画像データの読取解像度の差異と前記した編集対象面Ｄａと裏面Ｄｂの読み取り開始位置が副走査方向Ｙに関して反転することを考慮し、編集対象面Ｄａの画像データにおける編集エリアＥＡの中心座標（ＸＭ、ＹＭ）を算出し、記憶部に記憶する（図６のステップＳ４３）。
【０１１６】
＜編集エリアの調整処理＞
次に、得られた編集対象面Ｄａの画像データにおける編集エリアＥＡの中心座標（ＸＭ、ＹＭ）とユーザーにより設定された画像編集条件とを考慮して、ユーザーが指定している編集エリア領域の補正が必要か否かを判断し、必要な場合は編集エリア範囲の調整処理を行う（図６のステップＳ４４）。
【０１１７】
編集エリア範囲の調整処理手順について図８を用いて、詳細に説明する。
【０１１８】
まず、ユーザーにより操作パネル部７で設定された指定型、指定長、指定倍率、エリア指定モードの画像編集条件を図示しない記憶部より取得する（ステップＳ７１）。指定型では、正方形型、長方形型、菱形、丸型、Ａｕｔｏの５つの選択肢がある。指定長では、主走査方向の長さＲＸと副走査方向の長さＲＹをそれぞれ（ｍｍ）単位で選択できる。尚、正方形型、丸型、Ａｕｔｏの指定型については、主走査方向Ｘのみ選択可能とする。指定倍率は、（パーセント）単位、もしくはＡｕｔｏが選択できる。
【０１１９】
尚、本実施形態では、操作パネル部７から画像編集条件（編集内容）を指示するようにしたが、これに限定するものではなく、例えば、複数種類のマーキング画像Ｍ１〜Ｍｎを用意し、各マーキング画像の形状に対して１対１で編集内容を規定した画像編集情報を規定、記憶する構成とし、そのマーキング画像を読み取ることで対応する画像編集情報を特定し、編集内容を判別するようにしても良い。
【０１２０】
次に、エリア指定モードが指定範囲拡大機能であるか否かを判断し（ステップＳ７２）、エリア指定モードが指定範囲拡大機能以外の場合は（ステップＳ７２で「Ｎｏ」）、編集エリア範囲が出力サイズ（印字用紙（シート）サイズ）を超えるか否かを判断する処理へ移行する（ステップＳ８１）。
【０１２１】
エリア指定モードが指定範囲拡大機能である場合は（ステップＳ７２で「Ｙｅｓ」）、編集エリア範囲を拡大した画像が出力サイズ（印字用紙サイズ）を超えるか否かを判断する処理へ移行する（ステップＳ７３）。
【０１２２】
編集エリア範囲を拡大した画像が出力サイズ（印字用紙サイズ）を超える場合は（ステップＳ７３で「Ｙｅｓ」）、指定型が「Ａｕｔｏ」であるか否かを判断し（ステップＳ７４）、指定型が「Ａｕｔｏ」である場合は（ステップＳ７４で「Ｙｅｓ」）、編集エリア範囲を拡大した画像が出力サイズ（印字用紙サイズ）に収まるように指定倍率を自動補正する（ステップＳ７５）。一方、指定型が「Ａｕｔｏ」でない場合は（ステップＳ７４で「Ｎｏ」）、指定倍率を優先とし、編集エリア範囲を拡大した画像が出力サイズ（印字用紙サイズ）を越える部分は無効エリアとして、その無効エリア部分は出力（印字）しないようにする（ステップＳ１２１）。
【０１２３】
また、編集エリア範囲を拡大した画像が出力サイズ（印字用紙サイズ）を超えない場合は（ステップＳ７３で「Ｎｏ」）、記憶部より取得した画像編集条件をそのまま利用する（ステップＳ１１１）。
【０１２４】
編集エリア範囲が出力サイズ（印字用紙サイズ）を超える場合は（ステップＳ８１で「Ｙｅｓ」）、指定倍率が「Ａｕｔｏ」であるか否かを判断し（ステップＳ８２）、指定倍率が「Ａｕｔｏ」である場合は（ステップＳ８２で「Ｙｅｓ」）、編集エリア範囲が出力サイズ（印字用紙サイズ）に収まるように指定長を自動補正する（ステップＳ８３）。一方、指定倍率が「Ａｕｔｏ」でない場合は（ステップＳ８２で「Ｎｏ」）、指定長を優先とし、編集エリア範囲が出力サイズ（印字用紙サイズ）を越える部分は無効エリアとして、その無効エリア部分は出力（印字）しないようにする（ステップＳ１０１）。
【０１２５】
また、編集エリア範囲が出力サイズ（印字用紙サイズ）を超えない場合は（ステップＳ８１で「Ｎｏ」）、記憶部より取得した画像編集条件をそのまま利用する（ステップＳ９１）。
【０１２６】
最後に、補正処理された画像編集条件を記憶部に記憶する（ステップＳ７６）。
【０１２７】
この編集エリア範囲の調整処理によりユーザーのマーキングにずれが生じても、画像編集処理を実現することが可能となる。ただし、本実施形態によれば、自動補正機能を実現しているが、補正手段については特に規定しない。
【０１２８】
＜エリア画像編集処理＞
図９は、エリア画像編集処理の６通りの具体例を模式的に表している。
【０１２９】
図９では、上段に操作パネル設定情報（指定モード、指定型、指定長（ＲＸ，ＲＹ）、指定倍率）を示し、その下に編集対象面上にその指定型、指定長、指定倍率、及び編集対象面の中心点（ＸＭ，ＹＭ）を考慮した編集エリアＥＡを破線にて示した画像を示し、その下にエリア範囲調整後の設定情報を示し、下段にそのエリア範囲調整後の設定情報に基づいて編集加工された画像を示している。尚、編集加工された画像では、破線にて示した編集エリア範囲を明確化するために実線にて示しているが、実際の編集加工画像には係る編集エリアの実線は印字されない。
【０１３０】
１つ目の例は、エリア指定モードが指定範囲削除機能であり、編集エリア範囲が出力サイズ（印字用紙サイズ）を超えない場合である（図８のステップＳ８１で「Ｎｏ」）。本実施形態では、記憶部より取得した画像編集条件をそのまま利用し（図８のステップＳ９１）、編集エリアが削除された画像が出力される。
【０１３１】
２つ目の例は、エリア指定モードが指定範囲削除機能であり、編集エリア範囲が出力サイズ（印字用紙サイズ）を超える場合である（ステップＳ８１で「Ｙｅｓ」）。本実施形態では、指定倍率を「Ａｕｔｏ」にしているので、編集エリア範囲が出力サイズ（印字用紙サイズ）に収まるように指定長を自動補正する（ステップＳ８３）。この実施例では、主走査方向の指定長ＲＸについては２０ｍｍから１６ｍｍに補正処理を行い、副走査方向の指定長ＲＹについては１０ｍｍから８ｍｍに補正処理を行う。よって、補正された編集エリア範囲が削除された画像が出力される。
【０１３２】
３つ目の例は、エリア指定モードが指定範囲抽出コピー機能であり、編集エリア範囲が出力サイズ（印字用紙サイズ）を超えない場合である（ステップＳ８１で「Ｎｏ」）。この実施例によれば、記憶部より取得した画像編集条件をそのまま利用し（ステップＳ９１）、編集エリア範囲内の画像のみがコピーされる。
【０１３３】
４つ目の例は、エリア指定モードが指定範囲抽出コピー機能であり、編集エリア範囲が出力サイズ（印字用紙サイズ）を超える場合である（ステップＳ８１で「Ｙｅｓ」）。この実施例によれば、指定倍率を１００％にしているので、指定長を優先とし、編集エリア範囲が出力サイズ（印字用紙サイズ）を越える部分は無効エリアとして、その無効エリア部分は出力（印字）しないようにする（ステップＳ１０１）。
【０１３４】
５つ目の例は、エリア指定モードが指定範囲拡大機能であり、編集エリア範囲を拡大した画像が出力サイズ（印字用紙サイズ）を超える場合である（ステップＳ７３で「Ｙｅｓ」）。この実施例によれば、指定型を正方形型にしているので、指定倍率を優先とし、編集エリア範囲を拡大した画像が出力サイズ（印字用紙サイズ）を越える部分は無効エリアとして、その無効エリア部分は出力（印字）しないようにする（ステップＳ１２１）。
【０１３５】
６つ目の例は、エリア指定モードが指定範囲拡大機能であり、編集エリア範囲を拡大した画像が出力サイズ（印字用紙サイズ）を超える場合である（ステップＳ７３で「Ｙｅｓ」）。この実施例によれば、指定型をＡｕｔｏにしているので、編集エリア範囲を拡大した画像が出力サイズ（印字用紙サイズ）に収まるように指定倍率を自動補正する（ステップＳ７５）。この実施例によれば、指定倍率を２００％から１５０％に補正処理を行う。
【０１３６】
以上説明したように、第１の実施形態に係る発明によれば、原稿の両面を読み取り、出力したい原稿面の反対側にマーキングすれば良いので、出力したい原稿面に対して直接マーキングする必要が無くなり、原稿の汚れを防止できる。
【０１３７】
また、画像編集条件を最初に指示して、ユーザーはスタートキーを一度だけ押下すれば、所望の画像編集処理を実現することが可能なため、処理時間の短縮化が図れると共に、途中で出力手段を利用する必要が無いため、トナー消費量の抑制を図り、寿命の低下を防止できる。
【０１３８】
前記第１の実施の形態では、マーキング画像Ｍを裏面Ｄｂの１箇所に形成する場合を説明したが、本発明はそれに限定するものではなく、前記したように複数種類のマーキング画像Ｍ１〜Ｍｎを編集希望領域の裏面Ｄｂに予め形成しておき、マーキング画像Ｍ１〜Ｍｎの何れかを選択することで編集希望領域の指定を可能とし、選択的な画像編集処理を実行することもできる。複数種類のマーキング画像Ｍ１〜Ｍｎを各編集希望領域の裏面Ｄｂに予め形成しておく場合について、以下、第２の実施の形態として詳細に説明する。
【０１３９】
［第２の実施の形態］
第２の実施形態では、前記した第１の実施形態との相違点を中心に説明し、共通部分については説明を省略する。
【０１４０】
＜マーキング画像＞
図１０は、異なる画像編集処理毎に用いられる５種類のマーキング画像Ｍ１〜Ｍ５を例示的に示している。
【０１４１】
マーキング画像Ｍ１は「塗り潰し」マークの例示であり、前記第１の実施形態のマーキング画像Ｍに相当しており、矩形の塗り潰しマークである。マーキング画像Ｍ１は、矩形に限定するものではなく、原稿Ｄの主走査方向と副走査方向に所定長さ以上の形状（幾何学形状（三角、四角（矩形、台形、並行四辺形等含む）、六画、八画等）、丸、楕円、任意の形状）であって、その形状内部を原稿Ｄと異なる色で塗りつぶしたものであればよい。前記主走査方向と副走査方向の所定長さ（幅）は、後述するマーキング画像Ｍ３−Ｍ５の対角線、縦線、及び横線と区別できる長さであればよい。
【０１４２】
マーキング画像Ｍ２は「中抜き」マークの例示であり、楕円の中抜きマークである。マーキング画像Ｍ２は楕円に限定するものではなく、原稿Ｄの主走査方向と副走査方向に所定長さ以上の形状（幾何学形状（三角、四角（矩形、台形、並行四辺形等含む）、六画、八画等）、丸、楕円、任意の形状）であって、その形状内部をその形状を規定する輪郭と異なる色、例えば原稿Ｄ自体の色、としたものであればよい。
【０１４３】
マーキング画像Ｍ３は「対角線」マークの例示パネル設定情報で、右上がりの対角線マークである。マーキング画像Ｍ３は右上がりに限定するものではなく、左上がりの対角線でも良い。対角線の前記主走査方向及び又は副走査方向から規定できる対角線の角度は、後述するマーキング画像Ｍ４−Ｍ５の縦線と横線と区別できる角度であればよい。
【０１４４】
マーキング画像Ｍ４は「縦線」マークの例示で、原稿Ｄの主走査方向に長い線状のマークである。マーキング画像Ｍ５は「横線」マークの例示で、原稿Ｄの副走査方向に長い線状のマークである。
【０１４５】
マーキング画像は、上記Ｍ１〜Ｍ５に限定するものではなく、デジタル複合機１によりマーキング画像相互間で区別できるものであればよく、例えば、右上がりの対角線―左上がりの対角線を組み合わせる「クロス」記号や、縦線−横線を組み合わせた「クロス」記号等の記号や、文字等でもよい。
【０１４６】
＜指定マーカ形状＞
図１１は、エリア検出処理を模式的に表した図である。第１の実施形態の同模式図である図５（１）では裏面Ｄｂに単一のマーキング画像Ｍのみを形成していたが、本実施形態では、図１１（２）に示すようにマーキング画像Ｍ１（マーキング画像Ｍと同一：塗り潰しマーク）とマーキング画像Ｍ２（中抜きマーク）を形成し、編集対象面Ｄａに対して２箇所の編集エリアＥＡの設定を可能としている。
【０１４７】
そして、希望の編集エリアＥＡの指定を可能とするために、前記第１の実施形態で説明したパネル設定情報（画像編集条件）に「指定マーカ形状」を追加し、ユーザーがパネル操作部７を介して「指定マーカ形状」に希望の編集エリアＥＡに対応するマーキング画像の指示入力を可能としている（図１１（１））。
【０１４８】
ユーザーによる「指定マーカ形状」の入力方法は、選択されたマーキング画像Ｍ１〜Ｍ５を装置が特定できる手段であればよく、例えば、図示しないパネル設定画面にマーキング画像Ｍ１〜Ｍ５を表示すると共に対応する入力番号、記号等を表示し、ユーザーが該入力番号、記号等をキー入力する等の方法を用いることができる。
【０１４９】
本実施形態では、図１１（１）に示すように「指定マーカ形状」として「塗り潰し」が指定されているため、該指定された「塗り潰し」のマーキング画像Ｍ１（マーキング画像Ｍと同一）の検出処理がなされ、検出されたマーキング画像Ｍ１に関するその他のパネル設定情報に基づき、該マーキング画像Ｍ１に対応する編集エリアＥＡに対して編集処理が実行される。図１１では、「指定マーカ形状」以外のパネル設定情報（指定モード、指定型、指定長（ＲＸ，ＲＹ）、指定倍率）は第１の実施形態と同一内容であるため、図５と同様の編集処理がなされ、結果として図５（３）に示した編集加工後の画像と同一の出力がなされる（図１１（４））。
【０１５０】
＜マーキング画像の形状判定処理＞
図１２は、エリア指定モード時のエリア検出処理過程（図４のステップＳ１８、Ｓ２２）のフローチャートである。本実施形態では、上記パネル設定情報の「指定マーカ形状」で指定されたマーキング画像を裏面Ｄｂから検出する必要性があるため、図１２では裏面Ｄｂに形成されたマーキング画像の形状判定処理を行う処理と図４のステップＳ４２の処理を組み合わせたステップＳ４２ｂをステップ４２に代えて設けている。以下、ステップＳ４２ｂの詳細を図１３を参照しつつ説明する。
【０１５１】
図１３は、図１２のステップＳ４２ｂを詳細に説明したフローチャートである。
まず、マーキング画像が付加されている原稿面Ｄｂの１ライン分を読取開始する（ステップＳ２０１）。次に、マーキング画像の検出処理を行う（ステップＳ２０３）。検出方法に関しては特に限定しない。
【０１５２】
次に、１ライン分の全データを読取完了したか否かを判断し（ステップＳ２０５）、１ライン分の全データを読取完了していない場合は（ステップＳ２０５で「Ｎｏ」）、マーキング画像の検出処理を繰り返す（ステップＳ２０３）。
【０１５３】
１ライン分の全データを読取完了した場合は（ステップＳ２０５で「Ｙｅｓ」）、マーキング画像の形状判定処理を行う（ステップＳ２０７）。
【０１５４】
マーキング画像の形状判定処理は、検出した画像の重心を原点とする検出画像についての極座標系ヒストグラムを作成し、その極座標系ヒストグラムをもとに図形認識を行うような手法（例えば、特許文献３参照）や画像データをラスタ走査することで、検出した画像データの位置情報を算出して、検出した位置情報のライン相互間における位置関係を基に、図形認識を行うような手法（例えば、特許文献４参照）等があり、形状判定できる方法であればよい。
【０１５５】
予め、原稿面のどちらの面にマーキング画像が付与されているかを操作パネル部７にて設定しておくことによって、裏面Ｄｂの画像データの読取解像度を編集対象面Ｄａの画像データの読取解像度より低解像度で読むことも可能となり、処理速度を速めるなど処理の効率化を図ることができる。ただし、これに限定するものではなく、同じ読取解像度で読み取るようにしても、原稿面の指定を行わなくても良い。
【０１５６】
次に、全ライン読取完了したか否かを判断し（ステップＳ２０９）、全ライン読取完了していない場合は（「Ｎｏ」）、１ライン分を読取開始する処理から同じ処理を繰り返す（ステップＳ２０１）。
【０１５７】
全ライン読取完了した場合は（ステップＳ２０９で「Ｙｅｓ」）、操作パネル部７より予め指定された選択形状のエリア中心座標（Ｘｍ、Ｙｍ）の算出処理、及び、その算出結果の記憶部への記録処理（ステップＳ２０１１）へ移行する。尚、選択形状のエリア中心座標（Ｘｍ、Ｙｍ）の算出方法は限定するものではなく、第１の実施の形態で説明したように主走査方向と副走査方向の両方向に関する中心位置を求められるものであればよい。
【０１５８】
尚、上記フローチャートでは、全ラインを読み取る場合を示したが、選択形状のマーキング画像を読み取った場合にはそれ以降の読取処理を省くことができ、マーキング画像の検出処理時間を短縮できる。
【０１５９】
図１１の場合には、図１１（１）に示すようにパネル設定情報では「指定マーカ形状」として「塗り潰し」が指定されているため、マーキング画像Ｍ１が自動的に決定され、マーキング画像Ｍ２は無視される。マーキング画像Ｍ１のエリア中心座標（Ｘｍ、Ｙｍ）の算出処理や編集対象画像の編集加工処理等（図１１（３）、（４））は前記第１の実施の形態と同一であり、説明を省略する。
【０１６０】
図１４は、エリア画像編集処理の６通りの具体例を模式的に表しており、図９との相違部分は「指定マーカ形状」欄を追加している点にあり、「指定マーカ形状」指定内容は１つ目の例〜６つ目の例の順に「塗り潰し」、「塗り潰し」、「中抜き」、「右上がり対角線」、「縦線」、「横線」で、各指定されたマーキング画像Ｍ１〜Ｍ６が同一箇所（第１の実施形態のマーキング画像Ｍと同一位置）に形成された場合を示している。
【０１６１】
また、原稿Ｄ（編集対象面Ｄａと裏面Ｄｂ）の１回の読み取り処理により画像記憶部１５には編集対象面Ｄａと裏面Ｄｂのそれぞれの画像データが記憶されているので、同一原稿Ｄに対する２回目の処理時にはパネル設定情報（指定マーカ形状、指定モード、指定型、指定長（ＲＸ，ＲＹ）、指定倍率）の書き換え、編集実行指示入力により、再度の原稿読取処理なしに複数種類の編集作業を実行できる。
【０１６２】
上記構成により、前記第１の実施形態の作用効果に加えて、予め原稿Ｄの裏面Ｄｂに複数種類のマーキング画像Ｍ１〜Ｍｎを形成しておくことで、編集対象面Ｄａの複数箇所のうち択一的領域について編集することができ、編集の汎用性を高めることができる。
【０１６３】
また、原稿Ｄ（編集対象面Ｄａと裏面Ｄｂ）の１回の読取処理により画像記憶部１５には編集対象面Ｄａと裏面Ｄｂのそれぞれの画像データが記憶されているので、同一原稿Ｄに対する２回目の処理時にはパネル設定情報（指定マーカ形状、指定モード、指定型、指定長（ＲＸ，ＲＹ）、指定倍率）の書き換え、編集実行指示入力により、再度の原稿読取処理なしに複数種類の編集作業を実行できる。
【０１６４】
また、「パネル設定情報」の入力を原稿Ｄの読み取り処理前に行うことで、読取開始後は自動的に編集出力まで行われるので、ユーザーが装置前面から離れることができる。尚、少なくとも指定マーカ形状の指定を原稿Ｄの読み取り処理前に行い、その他のパネル設定情報を原稿Ｄの読み取り処理後に行っても良い。
【０１６５】
前記第２の実施の形態では、ユーザーによるパネル設定情報、より具体的には、「指定マーカ形状」の入力を原稿Ｄの読み取り処理前に行う場合について説明したがそれに限定するものではなく、原稿Ｄの読み取り処理と同時（並行処理）でもよく、また、原稿Ｄの読み取り処理後に「指定マーカ形状」の入力を行ってよい。裏面Ｄｂの読取処理後に「指定マーカ形状」を入力をする場合について、第３の実施形態として以下に説明する。
【０１６６】
［第３の実施の形態］
第３の実施形態では、前記した第２の実施形態との相違点を中心に説明し、共通部分については説明を省略する。
【０１６７】
図１５は、エリア検出処理を模式的に表した図である。本実施形態では、画像読取装置３を用いて裏面Ｄｂ（図１５（１））を読み取り、画像処理部９、画像記憶部１５、及び制御部１７を用いて裏面Ｄｂに形成された全てのマーキング画像を検出し、検出された全てのマーキング画像を図示しない表示パネルに表示する（図１５（２））。
【０１６８】
表示パネルに検出されたマーキング画像を表示しつつ、検出マーキング画像の中から編集対象面Ｄａのうちの希望の編集領域に対応するもの指定を含めたパネル設定情報（指定マーカ形状、指定モード、指定型、指定長（ＲＸ，ＲＹ）、指定倍率）のユーザーによる入力を可能としている。パネル設定情報の入力後は、前記実施形態と同様の処理がなされる。
【０１６９】
図１６は、図１２のステップＳ４２ｂを詳細に説明したフローチャートであり、図１３との相違点は、ステップＳ２０９とステップＳ２１１の間に検出された全てのマーキング画像を表示パネルに表示する工程（ステップＳ２１０ａ）とユーザーによるマーキング画像の入力工程（ステップＳ２１０ｂ）を設けた点にある。
【０１７０】
本実施形態の構成によれば、検出された全てのマーキング画像をパネル表示するため、マーキング画像の検出状況を把握できる。そのため、上記第１、第２の実施形態の作用効果に加えて、装置の誤検出に基づく誤った編集出力を無くすことができる。例えば、ユーザーがフリーハンドで書き込んだマーキング画像のように不明瞭性の残る場合でも、装置が正しく検出しているかどうかを編集処理前にパネル表示を介して確認できるので、検出可能なマーキング画像への修正ができ、確実な編集処理ができる。
【０１７１】
前記第２、第３の実施形態では、裏面Ｄｂに形成されたマーキング画像Ｍ１〜Ｍｎの内の何れか１つのマーキング画像を選択する場合を示したが、複数のマーキング画像を選択、指定する構成としても良いことは言うまでもない。係る場合について、以下、第４の実施の形態として説明する。
【０１７２】
［第４の実施の形態］
第４の実施形態では、前記した第２の実施形態との相違点を中心に説明し、共通部分については説明を省略する。
【０１７３】
図１７は、エリア検出処理を模式的に表した図である。第２の実施形態の同模式図である図１１では、マーキング画像マーキング画像Ｍ１とマーキング画像Ｍ２のうち、マーキング画像マーキング画像Ｍ１に関するパネル設定情報のみを入力していたが、図１７ではさらにマーキング画像Ｍ２に関するパネル設定情報をも入力可能としている。
【０１７４】
すなわち、マーキング画像Ｍ２に関するパネル設定情報は、指定マーカ形状が「中抜き」、指定モードが「削除」、指定型が「丸」、指定長が「ＲＸ＝１０ｍｍ」、指定倍率が「１００％」であり、係るパネル設定情報に基づき、指定領域ＥＡ２（中心点（ＸＭ２，ＹＭ２）から半径１０ｍｍの円形）を削除する編集処理が指定領域ＥＡ１に対する編集処理と共に行われ、図１７（３）に示すように指定領域ＥＡ１と指定領域ＥＡ２を空白（削除）した編集加工後の画像が得られた。
【０１７５】
パネル設定情報を複数設定可能とすることで、編集対象面Ｄａと裏面Ｄｂを１回ずつ読み込むだけで、編集対象面Ｄａに対する複数の編集処理を組み合わせた複雑な編集作業が可能となる。特に、従来のように編集領域毎に編集出力を行い、それらを切り貼りすることで希望の編集を行う場合に較べて、本実施形態によれば切り貼りの煩雑な処理を削減することができ、不要な複写が不要となるために用紙やトナーの無駄な消費を抑えることができ、複数回の読取処理と複数回の出力処理を１回の読取処理と１回の出力処理で行えるので装置の処理負担を抑えることから装置寿命を長くでき、編集処理時間も大幅に短縮できる。
【０１７６】
尚、第３の実施形態に関する図１５（３）でパネル設定情報を複数設定可能とすることで上記同様の作用効果を奏することができる。
【０１７７】
本発明は、複数の機器から構成されるシステムに適用しても、１つの機器からなる装置に適用しても良い。
【０１７８】
また、本発明によれば、出力したい原稿面と反対側にマーキングすることで、出力したい画像データがモノクロの場合でも、カラーの場合でも意識する必要が無いため、モノクロ複合機、カラー複合機を特定せずに所望の画像編集処理を実現することが可能となる。
【産業上の利用可能性】
【０１７９】
本実施形態の画像編集装置は、紙面上に形成された画像を編集（一部の削除、一部の拡大／縮小、ネガポジ反転等）した編集画像をシート上に形成、出力する装置、システムに適している。
【図面の簡単な説明】
【０１８０】
【図１】本発明の実施形態に係る画像編集装置としてのデジタル（カラー）複合機１の概略縦断面図である。
【図２】本発明の第１の実施形態に係る画像編集装置の概略ブロック図である。
【図３】本発明の第１の実施形態に係る画像編集処理の概略フローチャートである。
【図４】本発明の第１の実施形態に係るエリア指定モードでの処理過程を示すフローチャートである。
【図５】本発明の第１の実施形態に係るエリア検出処理の模式図である。
【図６】本発明の第１の実施形態に係るエリア検出処理過程のフローチャートである。
【図７】本発明の第１の実施形態に係る編集エリアのマーカ中心位置算出処理過程のフローチャートである。
【図８】本発明の第１の実施形態に係る編集エリアの範囲調整処理過程のフローチャートである。
【図９】本発明の第１の実施形態に係るエリア画像編集処理の説明図である。
【図１０】本発明の第２の実施形態に係るマーキング画像Ｍ１〜Ｍ５の説明図である。
【図１１】本発明の第２の実施形態に係るエリア検出処理の模式図である。
【図１２】本発明の第２の実施形態に係るエリア検出処理過程のフローチャートである。
【図１３】本発明の第２の実施形態に係る編集エリアのマーカ中心位置算出処理過程のフローチャートである。
【図１４】本発明の第２の実施形態に係るエリア画像編集処理の説明図である。
【図１５】本発明の第３の実施形態に係るエリア検出処理の模式図である。
【図１６】本発明の第３の実施形態に係るエリア検出処理過程のフローチャートである。
【図１７】本発明の第４の実施形態に係るエリア検出処理の模式図である。
【符号の説明】
【０１８１】
１  デジタルカラー複合機（画像編集装置）
３  画像読取装置
５  画像形成装置
７  操作パネル部
９  画像処理部
１１  エリア検出部
１３  画像編集部
１５  画像記憶部
Ｄ  原稿
Ｄａ  編集対象面（第１面）
Ｄｂ  裏面（第２面）
Ｍ，Ｍ１〜Ｍ５  マーキング画像（第２の画像）
ＥＡ、ＥＡ２  編集エリア（編集領域）
（Ｘｍ，Ｙｍ），（Ｘｍ２，Ｙｍ２）  マーキング画像Ｍの中心点（編集位置情報）
（ＸＭ，ＹＭ），（ＸＭ２，ＹＭ２）  編集エリアＥＡの中心点（編集位置情報）
【図１】
2006180449.tif 000003
【図２】
2006180449.tif 000004
【図３】
2006180449.tif 000005
【図４】
2006180449.tif 000006
【図５】
2006180449.tif 000007
【図６】
2006180449.tif 000008
【図７】
2006180449.tif 000009
【図８】
2006180449.tif 000010
【図９】
2006180449.tif 000011
【図１０】
2006180449.tif 000012
【図１１】
2006180449.tif 000013
【図１２】
2006180449.tif 000014
【図１３】
2006180449.tif 000015
【図１４】
2006180449.tif 000016
【図１５】
2006180449.tif 000017
【図１６】
2006180449.tif 000018
【図１７】
2006180449.tif 000019